(57)【要約】【課題】ピアスの挿着のために耳タブに穿孔を施すことなく、イアリング自体に抜挿自在に挿着して誰でも気軽にピアスを用いたファッションを楽しむことができ、かつ、多種のピアスの交換挿着することが可能なピアス挿着自在なイアリングの提供。【解決手段】イアリング本体１裏面に片持ち突設したブラケットアーム３ａから所要離れた下位に貫設した支持針挿入孔２にピアス支持針８を挿入して係着し、前記イアリング本体１とブラケットアーム３ａに取付けた挟止具３とにより耳タブに挟着して係止することで、所望のピアス７をイアリングαを介して身飾する特徴的構成手段の採用。【選択図】　　　　図６
2004141432.tif 000002
【特許請求の範囲】
【請求項１】
裏側に片持ち突設したブラケットアーム先端に挟止具を取付けたイアリング本体の、当該ブラケットアームより所要離隔した下位にピアスの支持針を挿着する支持針挿入孔を貫設する、
ことを特徴とするピアス挿着自在なイアリング。
【請求項２】
前記イアリング本体は、
表面又は裏面との両面に施装された装飾部を備え、
当該両面を貫通する前記支持針挿入孔を有する板状形体である、
ことを特徴とする請求項１に記載のピアス挿着自在なイアリング。
【請求項３】
前記支持針挿入孔は、
前記ブラケットアームより離れた真下に位置する、
ことを特徴とする請求項１又は２に記載のピアス挿着自在なイアリング。
【請求項４】
前記支持針挿入孔は、
前記イアリング本体に穿孔された貫孔に、前記ピアスの有する前記ピアス支持針の断面外形寸法に対応して目立たない短小筒を貫着してなる、
ことを特徴とする請求項１、２又は３に記載のピアス挿着自在なイアリング。
【請求項５】
前記挟止具は、
挟止力付与のため、バネ、ネジのいずれか又はその組合わせを有して構成される、
ことを特徴とする請求項１、２、３又は４に記載のピアス挿着自在なイアリング。
【請求項６】
前記ピアス支持針は、
前記支持針挿入孔に挿入され、留め部材にて保着される、
ことを特徴とする請求項１、２、３、４又は５に記載のピアス挿着自在なイアリング。
【発明の詳細な説明】
【０００１】
【発明の属する技術分野】
本発明は、耳タブに穿孔することなく、手軽にピアスによる身飾を安全に楽しむことを可能とし、また、デザインの異なる数あるピアスを選択して、髪型や服装や使用環境に合わせてピアスの美的要素を最大限に生かして身飾の幅を広げることを可能とするピアス挿着自在なイアリングに関する。
【０００２】
【従来の技術】
従来、ピアス挿着によるお洒落は、そのピアスを身に付けたい箇所である耳タブなどの身体部位に、専門医がピアスの挿入孔となるピアスホールを明ける医療行為である外科的処置を施すことにより、ピアスの挿着を可能とするのが一般的であった。したがって、ピアスは、身体に穿孔して設けた孔を用いて、直接身体のピアスホールに挿着されることとなる。
【０００３】
【発明が解決しようとする課題】
従来のピアスの挿着では、身体に直接ピアスホールを設ける外科的処置が必要なため、ピアスホール処置後には二次感染により、炎症や化膿、出血、腫れと言った諸症状を発症する危険があった。また、一部の人にとっては、人工的に身体に傷を付けるピアスホールは嫌悪感を抱かれることとなっていた。
【０００４】
加えて、外科的処置により設けたピアスホールに、金属を中心としたピアスを用いることは、金属アレルギーの原因にもなり、折角医師によるピアッシング処置を施しても体質によっては腫れや爛れなどの症状のためにピアスの使用をあきらめねばならなかった。
【０００５】
また、近年、ピアス等のアクセサリーを用いたファッションの低年齢層への広がりもあり、若者を中心に医療行為であるピアッシング処置を自らの手で行う者も多く、身体部位への穿孔後の医療トラブルは急増している。
【０００６】
また、実際に以上のようなピアス挿着時のトラブルが数多く報告されているために、ピアッシングを躊躇することもあり、また、人によっては、ピアッシング処置は身体を傷つける行為であるために不安や倫理観から敬遠してしまい、多種多様なタイプのものが販売され、ファッションに広がりを与えるピアスの着用を断念し、ピアスを用いたお洒落の一手段をあきらめる結果となり、そのため誰でもが気軽にピアスの挿着によるお洒落を楽しむことはできなかった。
【０００７】
本発明は、従来のピアス挿着に有する欠点を鑑みてなされたものであり、ここにおいて、本発明の解決すべき主要な目的は以下の通りである。
【０００８】
本発明の第１の目的は、ピアスの挿着のために耳タブに直接穿孔を設ける外科的処置を施すことなく、誰でも気軽にピアスを用いたファッションを楽しむことができるピアス挿着自在なイアリングを提供せんとするものである。
【０００９】
本発明の第２の目的は、イアリングに対する挿着及び取り外しが容易で、多種のピアスの挿着に対応して、ピアスとイアリングのファッションの組み合わせにより独自のデザインを楽しむことができるピアス挿着自在なイアリングを提供せんとするものである。
【００１０】
本発明の第３の目的は、イアリングのデザインを損ねることなくピアス支持針が耳タブに触れず安全に身飾できるピアス挿着自在なイアリングを提供せんとするものである。
【００１１】
本発明の第４の目的は、イアリングに設けたピアス挿着部が小さく目立たず、殆ど重量がなく、かつ、違和感なくイアリング単独でも使用可能とするピアス挿着自在なイアリングを提供せんとするものである。
【００１２】
本発明の他の目的は、明細書、図面、特に特許請求の範囲の各請求項の記載から自ずと明らかとなろう。
【００１３】
【課題を解決するための手段】
本発明は、前記課題の解決に当り、装飾部を有するイアリング本体の下部寄り裏側に片持ち突設したブラケットアームの先端に挟止具を取付け、当該ブラケットアームより離れた下位位置の当該イアリング本体部位に貫設する支持針挿入孔に、ピアスの支持針を挿通してピアスを係止自在に構成するという特徴的構成手段を講じる。
【００１４】
さらに、具体的詳細に述べると、当該課題の解決では、本発明が次に列挙する新規な特徴的構成手段を採用することにより、上記目的を達成するよう為される。
【００１５】
即ち、本発明の第１の特徴は、裏側に片持ち突設したブラケットアーム先端に挟止具を取付けたイアリング本体の、当該ブラケットアームより離隔した下位にピアスの支持針を挿着する支持針挿入孔を貫設してなる、ピアス挿着自在なイアリングの構成採用にある。
【００１６】
本発明の第２の特徴は、上記本発明の第１の特徴における前記イアリング本体が、表面又は裏面との両面に施装された装飾部を備え、当該両面を貫通する前記支持針挿入孔を有する板状形体である、ピアス挿着自在なイアリングの構成採用にある。
【００１７】
本発明の第３の特徴は、上記本発明の第１又は第２の特徴における前記支持針挿入孔が、前記ブラケットアームより離れた真下に位置してなる、ピアス挿着自在なイアリングの構成採用にある。
【００１８】
本発明の第４の特徴は、上記本発明の第１、第２又は第３の特徴における前記支持針挿入孔は、前記イアリング本体に穿孔された貫孔に、前記ピアスの有する前記ピアス支持針の断面外形寸法に対応して目立たない短小筒を貫着してなる、ピアス挿着自在なイアリングの構成採用にある。
【００１９】
本発明の第５の特徴は、上記本発明の第１、第２、第３又は第４の特徴における前記挟止具が、挟止力付与のため、バネ、ネジのいずれか又はその組合わせにより構成されてなる、ピアス挿着自在なイアリングの構成採用にある。
【００２０】
本発明の第６の特徴は、上記本発明の第１、第２、第３、第４又は第５の特徴における前記ピアス支持針が、前記支持針挿入孔に挿入され、留め部材にて保着されてなる、ピアス挿着自在なイアリングの構成採用にある。
【００２１】
【発明の実施の形態】
以下、本発明の実施の形態につき、添付図面を参照しながら詳細に説明する。
【００２２】
図１は、本発明の実施の一形態例であるイアリングαを示したものである。同図を参照しながら、イアリングαを説明する。
イアリングαは、イアリング本体１の中央から下部寄りに片持ち突設したブラケットアーム３ａから真下にずらした位置に支持針挿入孔２を貫設し、ブラケットアーム３ａ先端に挟止具３を取付けてなる。
【００２３】
なお、イアリング本体１はゆるやかな球面でなる円盤形体をなすものを専ら説明するもこれに限定されず、通常のイアリングとして全体として正多角盤形、三角盤形、四角盤形や自然物、人工物、幾何物に模したり、抽象形態を取ったり、片面及び両面に七宝、彫金、模様を付したりすることは一向に構わない。例えば、外形をハート型にしたり、プラチナを下地に表面にダイヤを散りばめて装飾する等。
【００２４】
また、支持針挿入孔２は、図１及び図６の様にイアリング本体１に穿孔してピアス差込孔を形成し、当該ピアス７が耳タブに挿入支持するために備えるピアス支持針８を保持する構造となっている。尚、支持針挿入孔２は、ピアス支持針８が貫通して係止するに足りる厚み程度に貫設する孔であり、また、支持針挿入孔２の数が複数あっても別段構わない。一方、支持針挿入孔２の孔の形状は円孔でも楕円孔でも、如何なるピアス支持針８の断面外形寸法に対応して隙間なく挿通可能なものであれば如何なる形状でもよい。
【００２５】
更に、挟止具３は、イアリング本体１の裏面に設けられ、イアリング本体１の裏面から片持ち突出したブラケットアーム３ａ先端に、例えばバネ筒等を備え、耳タブをイアリング本体１とで挟み付ける構造である。挟止具３は図１の様なバネ筒に限らず、イアリング本体１の裏面に片持ち立ち上げたＬ型ブラケットアーム先端に取付けたネジ等で耳当て挟止片をイアリング本体１とで挟んで締着するものであれば、如何なる手段のものでも別段差し支えない。
【００２６】
加えて、挟止具３は、耳タブに直接触れる部位であるから、金、銀、プラチナ、チタン、ステンレス等の金属、又はアクリル、シリコン等の樹脂のように人体に刺激の少ない物質のいずれか又はその組合わせにより構成されることが望ましい。
【００２７】
図２及び図３は本形態例の背面図及び図１中ＩＩＩ−ＩＩＩ線視断面図であり、図３は説明のため一部断面で示している。また、図４は、支持針挿入孔２の断面拡大図であり、縦断面を示している。更に、図５はブラケットアーム３ａ真下の、離れた部位のイアリング本体１を穿孔して設けられた支持針挿入孔２と挟止具３との取付近辺を説明する拡大斜視図である。
【００２８】
但し、図２乃至図５を参照しながら、更に、本形態例、特に支持針挿入孔２及び挟止具３につき説明をする。耳タブを挟む構造は、いろいろ考えられるが、図２乃至図５では、最もシンプルなバネ筒を用いて耳タブを挟む構造の一例を挙げてある。
【００２９】
支持針挿入孔２は、円盤板形体をなすイアリング本体１のブラケットアーム３ａから下位に離れた外周辺部近傍位置に、イアリング本体１の表裏両面に亘り貫通するように穿孔してピアス支持針８の差込孔として構成される。さらに、ピアス７を止着する機能的条件の範囲において、ピアス支持針８を案内して、ピアス支持針８の安定化及び支持針挿入孔２が強化する様に、イアリング本体１の両面を貫通した少し大き目の孔に短小筒４を貫着した構造となってもよい。
【００３０】
また、支持針挿入孔２は、イアリング本体１のイアリングα使用時に下端部となる位置に施し、その支持針挿入孔２は、ブラケットアーム３ａが指の邪魔にならずにピアス支持針８及び留め部材９を容易かつ簡単に挿入される部位であり、ピアス支持針８の外径に対応した内径を持つ。また、短小筒４を用いた場合も同様に、その内径はピアス支持針８の外径が隙間なく収まる大きさのものである。尚、ピアス支持部８、支持針挿入孔２、短小筒４の断面外・内形は円形に限らない。
【００３１】
挟止具３は、耳タブを挟止する弾力性を付勢するバネ筒５と、バネ筒５に折曲端３ｂ’を挿着し、かつ、耳当て挟止片６に立ち上げた上端部を巻着固定する二股クリップ３ｂとを備える。
【００３２】
バネ筒５はイアリング本体１から片持ち突出したブラケット３ａ先端に支持された構造を持ち、さらに耳当て挟止片６はバネ筒５に折曲端３ｂ’を挿着した二股クリップ３ｂの上端部に保持された構成とする。この時、二股クリップ３ｂ上端部に保持される耳当て挟止片６は、直接耳タブに接触してイアリング本体１とで耳タブを挟むものであるから、シリコン等樹脂で形成してもよい。
【００３３】
そのため、イアリング本体１と挟止具３との間隙に耳タブが挟入するように、挟止具３を取付けるイアリング本体１とのブラケットアーム３ａ突設位置は、イアリング本体１裏面の中央から下端よりかつ支持針挿入孔２の上方位置に設置して、イアリング本体１の耳タブとの接触する面積を十分に有する様にしてある。また、耳タブとの十分な収容面積を有するように、イアリング本体１の面積を十分に大きなものとしてもよい。
【００３４】
上記耳タブを挟む構造はあくまで一例にすぎず、上記と全く異なる他の構造であってもよく、同様の機能を奏する構造であれば如何なる構造であってもよい。
【００３５】
なお、例示した耳タブを挟む構造では、挟止具３においてイアリング本体１上にブラケットアーム３ａを介しバネ筒５を支持して、二股クリップ３ｂ’により耳当て挟止片６をイアリング本体１に弾圧しているが、この図示した場合に限定されるものではなく、例えば、イアリング本体１裏面上に片持支持したＬ型ブラケットアームを備え先端をネジの支持部とし、先端に小型耳当て挟止片を固着したネジを用いて、イアリング本体１方向に螺挿して耳タブをイアリング本体１とで挟着することもできる。
【００３６】
一方、イアリングαの素材は、金、銀、プラチナその他の貴金属、合金又はアクリル、シリコン等の樹脂であり、単にイアリングα表面を金や銀などでメッキを施してもよいし、錆止めが施されたり、七宝、彫金等の何等かの装飾を施してもよい。
【００３７】
イアリング本体１の構造については、板状形体である上記の構造のみならず、半球体に貫設された支持針挿入孔２を有し、加えて前記半球体に挟止具３を備えたもののように、単にピアス支持針８を挿着できる支持針挿入孔２をブラケットアーム３ａから離れた下位に有し、耳タブに挟止するための挟止具３を備えたものであれば、どのような構造でもよい。
【００３８】
以上、本形態例に付き説明したが、下記する使用例を十分に担保し得る範囲の変更は適宜可能である。
【００３９】
（使用例）
本使用例は、上記本形態例に適応したものである。図６は、ピアス挿着の説明図であり、上記イアリングαを用いてピアス７を挿着した場合、即ち着装状態の斜視図である。図１乃至図６を参照しながら、本使用例を説明する。
【００４０】
本使用例は、ピアス７のピアス支持針８をイアリング本体１が有する支持針挿入孔２又は短小筒４に挿着し留め部材９を取付けた後に、挟止具３により耳タブに直接固定させることである。具体的には、ピアス７がイアリングαを介して耳タブに間接的に取付固定されることである。
【００４１】
以下、ピアス挿着の手順を説明する。ピアス７のピアス支持針８を、板状形体を為すイアリング本体１に対して、挟止具３の設置される裏面の反対表面から支持針挿入孔２又は短小筒４に挿入し、イアリング本体１の挟止具３が設けられた裏面の前記支持針挿入孔２又は短小筒４から挿入して突出させたピアス支持針８の先端付近を、ピアス７の留め部材９により嵌着してピアス７をイアリングαに連着する。
【００４２】
そして、挟止具３に備わるバネ筒５と二股グリップ３ｂ’により耳当て挟止片６が皮膚に接触するようにしてイアリング本体１とで耳タブを挟み、ピアス７をイアリングαを介して耳タブに挟止して、最後に、ピアス７及びイアリングαのセット位置を整える。
【００４３】
上記手順において、挟止具３は、バネ筒５等に限定されるものではなく、ネジ等を用いて実施するものであってもよく、単に耳当て挟止片６とイアリング本体１との間に耳タブを挟込んで係止可能なものであればどのような構造であってもよい。その他、上記した本使用例の手順はこれらを組み合わせて多様に考え得る。
【００４４】
（その他の使用例）
次に、前記本形態例のその他の使用例を、図７乃至図９を参照して説明する。図７乃至図９はいずれも図３に対応する側面図であり説明のため一部断面で示している。イアリングαに挿着されるピアス７は市販の様々なタイプのものであって構わない。
【００４５】
先ず、図７はピン型形状のピアス７を挿着したものである。単にピン型形状のピアス７のピアス支持針８を支持針挿入孔２に挿着するにあたっては、支持針挿入孔２に短小筒４を貫着して短小筒４の孔にピアス支持針８を挿入することで、ピアス７は遊動することなくイアリングαに安定して固定係着される。
【００４６】
イアリングαを挟止具３を介して耳タブに係止して、身体の動きによりイアリングαに振動があった場合にも、イアリング本体１の厚みよりも長い短小筒４の挿持により、ピアス７はイアリング本体１からぶれることなく、支持針挿入孔２に安定して挿着したままでいることができる。これにより、イアリングα身飾者がどのような動きをしても、ピアス７のピアス支持針８は、イアリングαに対して常に一定位置を保持するものであり、身飾者のピアス７によるお洒落が崩れることはない。
【００４７】
また、図８は円環形状のピアス７のピアス支持針８を支持針挿入孔２に挿着したものである。このような円環形状のピアス７を支持針挿入孔２に支持するために、支持針挿入孔２のイアリング本体１下端からの位置はピアス７の円環の直径よりも短く、イアリング本体１の形状に対して十分に外周近辺であってよい。
【００４８】
加えて、図９のようなピアス支持針８に留め部材９を必要としないタイプのピアス７を用いるときは、フック形状のピアス支持針８を支持針挿入孔２に挿入釣支して、その後のピアス支持針８に留め部材９を用いて嵌着する作業を行うことなく、簡易に着脱することができる。また、ピアス７のピアス支持針８の断面形状に対応するために、支持針挿入孔２にあえて短小筒４を備えなくてもよい。このことは、イアリング本体１の厚さ及び短小筒４の長さ、材質により対応することもできる。
【００４９】
したがって、本発明を用いれば、支持針挿入孔２を有するイアリングαとして用いるものであるから、イアリングα単独で使用可能であり、その支持針挿入孔２の特徴的な構造により、数あるピアスの形状に十分に対応することが可能である。また、支持針挿入孔２はブラケットアーム３ａより離れた下位に設けたので指がブラケットアーム３ａに邪魔されず差込んだピアス支持針８への留め部材９の取付、取外しが容易となる。
【００５０】
しかも各主要金属素材で形成されるピアス支持針８が耳タブに直接触れて傷付けることや、金属アレルギーによる腫れや爛れの発症の惧れもない為、健康的、衛生的にも安全である。その上、支持針挿入孔２及び短小筒４は、シンプルで極めて目立たず、イアリングαのデザインに違和感を与えずピアスデザインとの組合せの妙味を楽しむことができる。
【００５１】
以上、本発明の実施の形態につき説明したが、本発明は、必ずしも上述した手段のみ限定されるものではなく、本発明にいう目的を達成し、本発明にいう効果を有する範囲内において、適宜に変更実施することが可能なものである。
【００５２】
【発明の効果】
以上説明したように、本発明によれば、ピアスのピアス支持針を、耳タブに係止可能なイアリングの支持針挿入孔に挿着することにより、耳タブに直接穿孔することなくピアスを挿着することができる。
【００５３】
また、支持針挿入孔が、挟止具を装着するイアリング本体に有ることで、選択されたイアリングに対応して様々なピアス形状の種類を選択して挿着可能とし、さらに、イアリング本体の装飾をピアスの装飾と組合せることで、それぞれ単独使用するよりもバリエイションが多くなり、両者の持つ美的要素を最大限に生かして利用者独自のファッションを楽しむことができる。
【００５４】
これにより、耳タブを傷つけることなく、かつ、イアリングの美的要素を殺すことなく、十分にピアスを身飾することができる。ピアスを挿着するために耳タブに穿孔することを必要としないものであるから、穿孔後の炎症、化膿、出血、腫れ、爛れ、金属アレルギー発症の危険及び不安からも解消される。
【００５５】
また、装飾された板状形体のイアリング本体に支持針挿入孔と挟止具を備えたものであるから、非常に薄くコンパクトな構造に加工することができるため、多種タイプのピアスの挿着に対応可能であり、これにより、イアリングと数多くのピアスとの組み合わせを楽しむことができる。その結果、ピアスを用いたお洒落を気軽に誰でも楽しむことが可能となり、ファッションの幅が広がる等優れた効果を奏する。
【図面の簡単な説明】
【図１】本発明の実施の一形態例であるピアス挿着自在なイアリングの斜視図である。
【図２】同上、イアリングの背面図である。
【図３】同上、イアリングの図１中ＩＩＩ−ＩＩＩ線視断面図である。
【図４】同上、支持針挿入孔の拡大縦断面図である。
【図５】同上、支持針挿入孔とブラケットアームに取付けた一部挟止具との拡大斜視図である。
【図６】同上、イアリングのピアス挿着使用例の説明図である。
【図７】同上、他の使用例を示す、図３対応一部断面図である。
【図８】同上、他の使用例を示す、図３対応一部断面図である。
【図９】同上、更に他の使用例を示す、図３対応一部断面図である。
【符号の説明】
α…イアリング
１…イアリング本体
２…支持針挿入孔
３…挟止具
３ａ…ブラケットアーム
３ｂ…二股クリップ
３ｂ’…折曲端
４…短小筒
５…バネ筒
６…耳当て挟止片
７…ピアス
８…ピアス支持針
９…留め部材
【図１】
2004141432.tif 000003
【図２】
2004141432.tif 000004
【図３】
2004141432.tif 000005
【図４】
2004141432.tif 000006
【図５】
2004141432.tif 000007
【図６】
2004141432.tif 000008
【図７】
2004141432.tif 000009
【図８】
2004141432.tif 000010
【図９】
2004141432.tif 000011